(57)【特許請求の範囲】
【請求項１】
床面から立ち上げられ上端側にハンドスプレーを有する水栓が接続される給水管の配管において、該配管の前面側に、ハンドスプレーと共に引き出される引出しホースを収納するための水受け容器を配設し、該水受け容器で配管を隠すように構成したことを特徴とする配管構造。
【請求項２】
床面から立ち上げられ上端側にハンドスプレーを有する水栓が接続される給水管の配管において、該配管を、ハンドスプレーと共に引き出される引出しホースを収納するための水受け容器側面側に形成した突部で隠すように構成したことを特徴とする配管構造。
【請求項３】
床面から立ち上げられ上端側にハンドスプレーを有する水栓が接続される給水管の配管において、該配管を、ハンドスプレーと共に引き出される引出しホースを収納するための水受け容器で保持したことを特徴とする配管構造。
【請求項４】
前記水受け容器の背面側に、配管用の凹部が形成されていることを特徴とする請求項１または請求項３に記載の配管構造。
【請求項５】
前記水受け容器を載せる台座で前記配管を保持したことを特徴とする請求項１または請求項２または請求項４に記載の配管構造。
【発明の詳細な説明】
【０００１】
【産業上の利用分野】
この発明は、キッチンキャビネットとか洗面化粧台等の配管構造に関するものである。
【０００２】
【従来の技術及びその課題】
従来、キッチンキャビネットとか洗面化粧台のキャビネット内には、床面側から立ち上げられた配管が設けられており、キャビネットの扉を開けた時に、この配管が露出して見栄えが悪いという問題点があった。
【０００３】
なお、図１４の透視斜視図で、また図１５の側面断面構成図で示すように、上面にシンク５３を有するカウンター５２を備えたキャビネット５１内の背壁５１ｂ側に、床面Ｆから可撓性の給水管５５及び給湯管５６を立ち上げ、背壁５１ｂに図１６で拡大して示すような固定金具５７をビス６０で固定しておき、この固定金具５７の固定部５７ｂから突出状に形成された保持部５７ａに、予め接続金具５８を固定させておき、この接続金具５８，５８に、下方側より給水管５５及び給湯管５６のそれぞれの上端を差し込んで接続し、カウンター５２に立設された水栓５４から垂下するフレキシブル管５９ａ，５９ｂを、それぞれ接続金具５８，５８に上方より接続する配管構造が提案されているが、このような配管構造においても、キャビネット５１の扉５１ａを開けた時には、この給水管５５，給湯管５６及び固定金具５７，接続金具５８が露出して見栄えが悪いという問題点があり、また、このような構造では固定金具５７が必要となり、コストアップとなってしまうという問題点がある。
【０００４】
なお、給水管５５及び給湯管５６に、図１７に示すように外側に鞘管６１を設けて、この鞘管６１で化粧処理したものも存在するが、この場合においても、鞘管６１が露出して、やはり見栄え性が悪いという問題点があった。
【０００５】
【課題を解決するための手段】
本発明は上記従来の問題点に鑑み案出したものであって、見栄え性が良く、コストを低減させることのできる配管構造を提供せんことを目的とし、その第１の要旨は、床面から立ち上げられ上端側にハンドスプレーを有する水栓が接続される給水管の配管において、該配管の前面側に、ハンドスプレーと共に引き出される引出しホースを収納するための水受け容器を配設し、該水受け容器で配管を隠すように構成したことである。
また、第２の要旨は、床面から立ち上げられ上端側にハンドスプレーを有する水栓が接続される給水管の配管において、該配管を、ハンドスプレーと共に引き出される引出しホースを収納するための水受け容器側面側に形成した突部で隠すように構成したことである。
また、第３の要旨は、床面から立ち上げられ上端側にハンドスプレーを有する水栓が接続される給水管の配管において、該配管を、ハンドスプレーと共に引き出される引出しホースを収納するための水受け容器で保持したことである。
また、第４の要旨は、前記水受け容器の背面側に、配管用の凹部が形成されていることである。
また、第５の要旨は、前記水受け容器を載せる台座で前記配管を保持したことである。
【０００６】
【実施例】
以下、本発明の実施例を図面に基づいて説明する。
本例では、図１３に示すような水受け容器６３を利用して、この水受け容器６３で、床面から立ち上げられる給水管５５及び給湯管５６を隠して見栄え性を向上させようとするものである。即ち、図１３に示す従来からあるハンドスプレー５４ａを有する水栓５４においては、ハンドスプレー５４ａを引き出して使用することができるように構成されており、ハンドスプレー５４ａと共に引き出される引出しホース６２を収納するために、キャビネット内に水受け容器６３が設けられている。
【０００７】
この水受け容器を、例えば図１に示すような形状に形成することができ、図１では、上面に開口１ａを有する水受け容器１の背部に、前方側へ凹み状に背面凹部２が形成されており、この背面凹部２内に、給水管５５及び給湯管５６を立ち上げ状に配置させて、この給水管５５及び給湯管５６の前面側を水受け容器１で隠蔽させ、キャビネットの扉５１ａを開けた時に、水受け容器１により給水管５５及び給湯管５６が隠されるように構成したものである。
なお、この水受け容器１を載せる台座５を、キャビネット５１の背壁５１ｂの所定の高さ位置に固定し、この台座５を背壁５１ｂに固定することで、給水管５５及び給湯管５６を保持できるように構成しておくこともできる。また、台座５をキャビネットの底面に固定することで、給水管５５及び給湯管５６を保持できるように構成しても良い。
【０００８】
なお、図２に示すように、水受け容器１の背面凹部２の左右に、瓢箪形の引っ掛け孔３，３を貫通形成させておき、予めキャビネットの背壁５１ｂにビス４，４を突出状に固定させて、このビス４，４に引っ掛け孔３，３を引っ掛けて、水受け容器１をキャビネット５１の背壁５１ｂに着脱可能に取り付けることができるように構成することができる。
なお、水受け容器１の上下方向の寸法を大きく設定することにより、前記接続金具５８等も良好に隠蔽させることができるものとなる。
【０００９】
なお、図３に示すように、水受け容器１の背側側面に、左右方向に突出してフランジ部１ｂ，１ｂを一体形成させ、このフランジ部１ｂに形成したビス孔１ｃに前面側よりビス４を通し、ビス４を背壁５１ｂにネジ込んで、ビス４により背壁５１ｂに水受け容器１を固定する構成とすることもできる。
【００１０】
次に、図４は変更例を示すものであり、図４では、水受け容器１の背面側の左右の隅角部に凹部６，６を形成させたもので、この左右の凹部６，６に沿って給水管５５及び給湯管５６を立ち上げ、凹部６，６内に給水管５５及び給湯管５６を配置させて、水受け容器１の左右側面に突出する突部１ｄ，１ｄで良好に給水管５５及び給湯管５６を隠すことができるものである。
【００１１】
さらに図５の変形例では、水受け容器１の背面に断面半円形状に凹んだ背面凹溝７，７を一体形成させておき、この背面凹溝７，７内に給水管５５及び給湯管５６を配設させて隠蔽できるものである。
【００１２】
なお、図６の拡大平面図で示すように、背面凹溝７の後部入口側の開口寸法Ｂを、給水管５５及び給湯管５６の外径寸法Ａよりも小さい寸法に設定しておき、後部側より背面凹溝７内に押し込み状に給水管５５及び給湯管５６を嵌合させるように構成することもでき、このような嵌合構造に形成すれば、水受け容器１を背壁５１ｂに固定することにより、強固に給水管５５及び給湯管５６を保持することができ、ウォーターハンマー等の衝撃が加わった場合にも給水管５５及び給湯管５６がグラつくことがない。
【００１３】
次に、図７の変形例では、水受け容器１の背面側に、横方向へ並列状に複数の背面凹溝７，７，７を一体形成したものであり、何れかの背面凹溝７内に給水管５５及び給湯管５６を嵌め込み状に配管することができ、給水管５５と給湯管５６間のピッチが異なる場合でも、良好に何れかの背面凹溝７内に給水管５５及び給湯管５６を嵌め込んで、前面側より隠蔽させることができるものとなる。
【００１４】
次に、図８の変形例では、水受け容器１の側面側に側面凹溝８，８を一体形成したものであり、左右の側面凹溝８，８内に、それぞれ側面側より給水管５５及び給湯管５６を嵌合状に嵌め込んで良好に保持できるとともに、水受け容器１の左右側面に突出する突部１ｄ，１ｄで、前面側から給水管５５と給湯管５６を良好に隠すことができるものとなる。
【００１５】
さらに、図９の変更例では、水受け容器１の背面側に後方側へ突出させて凹溝９ａを有する突出部９を一体形成させたものであり、それぞれの突出部９，９の凹溝９ａ内に、給水管５５及び給湯管５６を嵌合させて配管することにより、強固に給水管５５及び給湯管５６を保持することができ、しかも前面側から良好に隠蔽させることができるものとなる。
【００１６】
次に、図１０では、左右方向に横長状に形成した水受け容器１を、給水管５５及び給湯管５６の前面側に配置させて、この水受け容器１により給水管５５及び給湯管５６を隠すとともに、給水管５５及び給湯管５６の止水栓１０，１０をも確実に隠して、スッキリとした見栄え性を確保しようとするものである。
【００１７】
なお、図１１に示すように、この横長状の水受け容器１の背面側上端に、上方へ突出して左右に引っ掛け溝１１ａ，１１ａを有する引っ掛け突部１１を一体形成させておけば、キャビネットの背壁５１ｂにビスを固定させておき、このビスに引っ掛け溝１１ａ，１１ａを引っ掛けて、着脱可能に水受け容器１を設置することができるものとなる。
【００１８】
なお、さらには、図１２に示すように、水受け容器１の底面から、水受け容器１内に立ち上げ状に給水管５５及び給湯管５６を配管させる構成であっても、良好に給水管５５及び給湯管５６を前面側より隠すことができ、さらには、水受け容器１内に給水管５５及び給湯管５６を挟持できるリブ１２，１２，１２を一体形成させておけば、このリブ１２，１２により強固に給水管５５及び給湯管５６を保持させることも可能となる。
【００１９】
【発明の効果】
本発明は、床面から立ち上げられ上端側にハンドスプレーを有する水栓が接続される給水管の配管において、該配管の前面側に、ハンドスプレーと共に引き出される引出しホースを収納するための水受け容器を配設し、該水受け容器で配管を隠すように構成したことにより、前面側から見た場合には、水受け容器が視認されて、配管は水受け容器の裏側に隠されるため、従来のように配管が露出することがなく、見栄え性が向上したものとなる。
【００２０】
また、床面から立ち上げられ上端側にハンドスプレーを有する水栓が接続される給水管の配管において、該配管を、ハンドスプレーと共に引き出される引出しホースを収納するための水受け容器側面側に形成した突部で隠すように構成したことにより、前面側から見た場合には、水受け容器が視認されて、配管は隠されるため、見栄え性が向上したものとなる。
【００２１】
また、床面から立ち上げられ上端側にハンドスプレーを有する水栓が接続される給水管の配管において、該配管を、ハンドスプレーと共に引き出される引出しホースを収納するための水受け容器で保持したことにより、水受け容器で配管を保持し、従来のような配管保持用の固定金具を省略することができ、コストダウンを図ることができるものとなる。
【００２２】
また、前記水受け容器の背面側に、配管用の凹部が形成されていることにより、凹部内に配管を嵌め込む等して配管を良好に保持することができ、かつ水受け容器で配管を隠すことができ、見栄え性の向上とコストダウンを図ることができるものとなる。
【００２３】
また、前記水受け容器を載せる台座で前記配管を保持したことにより、台座で強固に配管を保持でき、従来の配管固定用の固定金具を省略でき、コストダウンを図ることができるものとなる。
【図面の簡単な説明】
【図１】  台座に載せた水受け容器で給水管及び給湯管を隠した構成斜視図である。
【図２】  図１の水受け容器の上面側からの斜視図である。
【図３】  さらにフランジ部を設けた水受け容器の上面側からの斜視図である。
【図４】  隅角部に凹部を形成した水受け容器の斜視図である。
【図５】  さらに背面側に凹溝を形成した水受け容器の斜視図である。
【図６】  配管を嵌合させることのできる凹溝の平面拡大図である。
【図７】  複数の凹溝を形成させた水受け容器の斜視図である。
【図８】  側面側に凹溝を形成させた水受け容器の斜視図である。
【図９】  背面側に凹溝を有する突出部を形成させた水受け容器の斜視図である。
【図１０】  横長状の水受け容器で配管を隠した状態の上面側からの斜視図である。
【図１１】  上端に引っ掛け突部を形成した水受け容器の斜視図である。
【図１２】  水受け容器内に配管を立設させた状態の斜視図である。
【図１３】  ハンドスプレーを有する水栓とホース収納用の水受け容器の従来構成図である。
【図１４】  可撓性の配管構成の透視斜視図である。
【図１５】  図１４の側面断面構成図である。
【図１６】  従来の配管固定用の固定金具の拡大斜視図である。
【図１７】  従来の化粧用の鞘管を備えた配管の要部拡大斜視図である。
【符号の説明】
１  水受け容器
１ａ  上面開口
１ｂ  フランジ部
１ｃ  ビス孔
１ｄ  突部
２  背面凹部
３  引っ掛け孔
４  ビス
５  台座
６  隅角凹部
７  背面凹溝
８  側面凹溝
９  突出部
９ａ  凹溝
１０  止水栓
１１  引っ掛け突部
１１ａ  引っ掛け溝
１２  リブ
５１  キャビネット
５１ａ  扉
５１ｂ  背壁
５２  カウンター
５４  水栓
５５  給水管
５６  給湯管
５７  固定金具
５８  接続金具
【図１】
0003656185.tif 000002
【図２】
0003656185.tif 000003
【図３】
0003656185.tif 000004
【図４】
0003656185.tif 000005
【図５】
0003656185.tif 000006
【図６】
0003656185.tif 000007
【図７】
0003656185.tif 000008
【図８】
0003656185.tif 000009
【図９】
0003656185.tif 000010
【図１０】
0003656185.tif 000011
【図１１】
0003656185.tif 000012
【図１２】
0003656185.tif 000013
【図１３】
0003656185.tif 000014
【図１４】
0003656185.tif 000015
【図１５】
0003656185.tif 000016
【図１６】
0003656185.tif 000017
【図１７】
0003656185.tif 000018